(57)【要約】【課題】操作簡易な電動式折り畳みベッドを提供する。【解決手段】相互枢設するメインフレーム１０とサブフレーム２０からなり、該メインフレームとサブフレームの底部へそれぞれキャスター１２，２２を具有するキャスター座１１，２１を取り付け、メインフレームとサブフレームが枢設する個所へ脚桿３０を設け、且つメイン、サブフレームへ電動シリンダ４０を枢設して設け、該電動シリンダを、シリンダ体４１、伸縮桿４２、モータ４３で構成し、該モータは伸縮桿の相対するシリンダ体への伸縮を駆動し、該伸縮桿は枢設部４２０によってメインフレームへ軸着し、また該シリンダ体も枢設部４１０によってサブベッドへ軸着されることによって電動シリンダの伸縮作用により自動的に折り畳み、収容することができる。【選択図】        図  １【実用新案登録請求の範囲】
【請求項１】
相互に枢設されるメインフレームとサブフレームからなり、
該メインフレームとサブフレームの底部へそれぞれキャスターを具有するキャスター座を設け、
該メインフレームとサブフレームが枢設する個所へ脚桿を設け、
シリンダ体、伸縮桿、モータからなる電動シリンダを設けて、
該伸縮桿はシリンダ体へ伸縮可能に挿着すると共に、
該モータは、伸縮桿が挿着されたシリンダ体に相対して伸縮するべく駆動するようにし、該伸縮桿は、枢設部によりメインフレームへ軸着し、また該シリンダ体も枢設部によりサブフレームに軸着されてなることを特徴とする電動折り畳みベッド。
【請求項２】
前記メインフレームとサブフレーム間に引張りバネを設け、メインフレームとサブフレームの折り畳み収容動作を補助することを特徴とする請求項1に記載の電動折り畳みベッド。
【請求項３】
該脚桿へ主桿を固定設置し、該主桿へスライド部を設け、また該スライド部へ二つの桿を設け、該桿の片端はメインフレームと軸着し、別の桿の片端はサブフレームと軸着することを特徴とする請求項１に記載の電動折り畳みベッド。
【考案の詳細な説明】
【技術分野】
【０００１】
本考案は、一種電動式の折り畳みベッドに係り、特に相互枢設するメインフレーム、サブフレーム、脚桿、電動シリンダに係り、該電動シリンダをメインフレームとサブフレームへ枢設することで、通電後、該電動シリンダが作動してメインフレームとサブフレームを自動的に展開、又は収容目的を達成する。
【背景技術】
【０００２】
公知構造の折り畳みベッドにおいては、図６に示すように、メイン、サブフレーム６０、６１が枢設する個所へ脚桿６２が設けられている。該脚桿６２はベッドの中央部分を支え、該メイン・サブフレーム６０、６１の低部にはそれぞれキャスター座６３、６４が枢設されて完全な折り畳みベッドと成っている。
上述の構造中、折り畳みベッドを使用しない時に簡単に手動で折り畳めるよう、該メインフレーム６０と該脚桿６２との間はばね６５によって連結されており、並びに該サブフレーム６１と脚桿６２の間はバネ６６が設置されて連結されており、該バネ６５、６６の引っ張る力によって、使用者が該メインフレーム６０、サブフレーム６１中央個所を持ち上げる際、該メインフレーム６０、サブフレーム６１が該脚桿６２を中心として相対して適当な狭角を形成するようにし、該バネ６５、６６がその弾力によって補助力を提供して該メインフレーム６０、サブフレーム６１を相対して折り合わせて折り畳みを補助する効果を提供する役割を果たしている。
【考案の開示】
【考案が解決しようとする課題】
【０００３】
しかしながら、上述の公知の構造は、手動でベッド折り畳むものであり、操作上において、力を必要とし、不便である。
そこで、公知の手動により折畳み式ベッドの構造を使用するのに、力を費やし、不便である欠点を解決するため本考案の自動式折り畳みベッドを提供することを課題とする。
【課題を解決するための手段】
【０００４】
本考案の主な目的は、電動による展開、収容効果を達成することに係り、使用するのに便利で力を費やす必要をしない電動式折畳みベッドを提供する。
それは、相互枢設するメインフレームとサブフレームに係り、該メインフレームとサブフレームの底部へそれぞれキャスターを具有するキャスター座を設け、該メインフレームとサブフレームが枢設する個所へ脚桿を設け、電動シリンダに含まれるものは、シリンダ体、伸縮桿、モータであり、該伸縮桿はシリンダ体へ挿着し、該モータと伸縮桿は連動し、該モータは伸縮桿が相対するシリンダ体の伸縮を駆動し、該伸縮桿は枢設部を具有し、該枢設部をメインフレームへ軸着し、また該シリンダ体も枢設部を具有し、該枢設部をサブベッドへ軸着し、電動シリンダの伸縮作用によって、メイン、サブフレームを電動で自動的に展開、又は収容する目的を達成するものである。
【考案の効果】
【０００５】
本考案の電動折畳みベッドは、労力を必要とせず、電動シリンダを枢設するメイン、サブフレームを自動的に展開又は収容することができるという利点がある。
【考案を実施するための最良の形態】
【０００６】
本考案の、使用者が、力を入れずに自動的に展開、収容できる電動折畳みベッドは以下の構成により実現した。
【実施例１】
【０００７】
図１に示すように、主に相互枢設するメインフレーム１０とサブフレーム２０に係り、該メイン、サブフレーム１０、２０の底部へそれぞれキャスター１２、２２を具有するキャスター座１１、２１を設け、該メイン、サブフレーム１０、２０が枢設する個所へ脚桿３０を設け、
電動シリンダ４０に含まれるものは、シリンダ体４１、伸縮桿４２、モータ４３であり、
該伸縮桿４２はシリンダ体４１へ挿着し、該モータ４３と伸縮桿４２は連動し、該モータ４３は伸縮桿４２が相対するシリンダ体４１の伸縮を駆動し、該伸縮桿４２は枢設部４２０を具有し、該枢設部４２０をメインフレーム１０へ軸着し、また該シリンダ体４１も枢設部４１０を具有し、該枢設部４１０をサブベッド２０へ軸着する。
図１、２に示すように、該メインフレーム１０とサブフレーム２０へ引張りバネ５０を設け、該引張りバネ５０の片端は該メインフレーム１０に固定され、別の片端は該サブフレーム２０に固定される。該引張りバネ５０の引っ張る力により、メインフレーム１０とサブフレーム２０は更に引き寄せられて収容される状態となる。サブフレーム２０へ滑車２３を設け、該引張りバネ５０の片端はロープ５１により引張られて延伸し、該ロープ５１の別の片端は該滑車２３を経由してメインフレーム１０へ固定され、引張りバネ５０によりサブフレーム２０を延伸した状態を保持する。
図１、２に示す様に、該脚桿３０へ主桿３１を固定設置し、該主桿３１へスライド部３２を設け、該スライド部３２が上下に移動し、該スライド部３２の軸３３は二つの桿３４、３５を枢設し、該桿３４の片端をメインフレーム１０へ枢設し、別の桿３５の片端をサブフレーム２０へ枢設し、メインフレーム１０とサブフレーム２０を収容する時、該二つの桿３４、３５の適正に定位することで、脚桿３０はメインフレーム１０とサブフレーム２０の間の中央に保持され、メインフレーム１０とサブフレーム２０を相接した状態に収容する。
図１〜５に示すように、使用者が本考案の折畳みベッドを収容しようとするとき、電源を入れると、該電動シリンダ４０のシリンダ体４１上にあるモータ４３が運転を開始し、伸縮桿４２は徐々にシリンダ体へ入っていき、機構上伸縮桿４２の枢設部４２０の軸心点Aは該シリンダ体４１の該枢設部４１０の軸心点A´と直線A−A´となって、水平線B−B´と交わる（図３に示す）。この交差角度により、該電動シリンダ４０は、メインフレーム１０とサブフレーム２０に対して有効に作用し、該電動シリンダ４０は短縮されて、折り畳み操作を開始すると、メインフレーム１０とサブフレーム２０は図4に示すように、更に引張りバネ５０の引っ張る力により、該メインフレーム１０とサブフレーム２０は図5に示すように、折り畳まれて収容する状態となり、収容する目的を達成する。
反対に、使用者がベッドを展開したい時、まず電源を入れ、電動シリンダ４０のモータ４３が逆回転し、伸縮桿４２を延伸し、伸縮桿４２が完全に伸びたとき、メインフレーム１０とサブフレーム２０は展開した状態となり、使用者が横になって眠ることができる。
【産業上の利用可能性】
【０００８】
電動シリンダにより自動展開又は収容することができ、労力を必要としないので、簡単便利に使用できるものである。
【図面の簡単な説明】
【０００９】
【図１】本考案の立体外観指示図である。
【図２】本考案の展開時の背面断面指示図である。
【図３】本考案の展開時の正面断面指示図である。
【図４】本考案における第一段階収容指示図である。
【図５】本考案における完全収容指示図である。
【図６】公知の構造指示図である。
【符号の説明】
【００１０】
１０、６０  メインフレーム
１１、２１、６３、６４    キャスター座
１２、２２  キャスター
２０、６１  サブフレーム
２３        滑車
３０、６２  脚桿
３１        主桿
３２        スライド部
３３、３４０、３５０、４１１、４２１  軸
３４、３５  桿
４０        電動シリンダ
４１        シリンダ体
４１０、４２０  枢設部
４２        伸縮桿
４３        モータ
５０        引張りバネ
５１        ロープ
６５、６６  バネ
【図１】
0003102036.tif 000002
【図２】
0003102036.tif 000003
【図３】
0003102036.tif 000004
【図４】
0003102036.tif 000005
【図５】
0003102036.tif 000006
【図６】
0003102036.tif 000007